(57)【要約】      （修正有）【課題】超音波を送受信する音響レンズと生体表面との間に空気が介在することによる超音波画像の黒抜けの発生を低減させる。【解決手段】超音波プローブＰは、圧電振動子と、音響レンズＬと、備える。圧電振動子は、超音波を送受信する。音響レンズは、超音波の送受信側に設けられる。音響レンズは、当該音響レンズの表面のうち、中央部領域の両側に位置する端部領域の表面形状が、中央部領域の表面形状の曲率と異なる曲率で形成される。【選択図】図１
2019141580.tif 000002
【特許請求の範囲】
【請求項１】
超音波を送受信する圧電振動子と、
前記超音波の送受信側に設けられる音響レンズと、
を備え、
前記音響レンズは、当該音響レンズの表面のうち、中央部領域の両側に位置する端部領域の表面形状が、前記中央部領域の表面形状の曲率と異なる曲率で形成される、
超音波プローブ。
【請求項２】
前記端部領域は、エコーゼリーを保持する段差部を設けた、
請求項１に記載の超音波プローブ。
【請求項３】
前記端部領域の表面は、前記中央部領域の表面形状の曲率より小さい曲率をもつ形状を部分として含み、
前記端部領域の表面の前記部分は、前記中央部領域の表面に連続する構成を有する、
請求項１又は２に記載の超音波プローブ。
【請求項４】
前記端部領域の表面の前記部分は、超音波プローブの縦断面において、前記中央部領域の表面に連続する側の他側に、変曲点を有する、
請求項３に記載の超音波プローブ。
【請求項５】
前記音響レンズは、
前記超音波の送受信領域によって決まる音響有効部が前記中央部領域として構成され、
前記超音波の送受信領域によって決まる音響無効部が前記端部領域として構成され、
請求項１乃至４のいずれか１項に記載の超音波プローブ。
【請求項６】
前記音響有効部は、前記音響レンズの凸部を備え、
前記音響無効部は、前記音響レンズのレンズ先端面の延長線よりも前記圧電振動子側に低く形成された部分を有する、
請求項５に記載の超音波プローブ。
【請求項７】
前記音響無効部は、前記レンズ先端面の延長線よりも低く形成される部分に任意の曲率を有する凹部を有する、
請求項６に記載の超音波プローブ。
【請求項８】
前記音響有効部は、前記圧電振動子における前記超音波の送受信面と略平行となる平坦部を有し、
前記音響無効部は、前記平坦部と略平行に形成された部分を有する、
請求項６又は７に記載の超音波プローブ。
【請求項９】
前記音響無効部は、前記レンズ先端面の延長線よりも０．２ｍｍ以上低く形成された部分を有する、
請求項６乃至８のうちいずれか一項に記載の超音波プローブ。
【請求項１０】
前記レンズ先端面の前記延長線より低い部分は、レンズ方向、及び、アレイ方向の少なくとも一方に沿って設けられている、
請求項６乃至９のうちいずれか一項に記載の超音波プローブ。
【請求項１１】
前記中央部領域及び前記端部領域の材質は、ポリメチルペンテン、シリコーンゴム、及びブタジエンゴムのいずれかである、
請求項１乃至１０のうちいずれか一項に記載の超音波プローブ。
【請求項１２】
前記中央部領域及び前記端部領域は、水に対する接触角が６０°以上である材質で形成される、
請求項１乃至１１のうちいずれか一項に記載の超音波プローブ。
【請求項１３】
超音波の送受信側に設けられる音響レンズ、
を備え、
前記音響レンズは、当該音響レンズの表面のうち、中央部領域の両側に位置する端部領域の表面形状が、前記中央部領域の表面形状の曲率と異なる曲率で形成される、
超音波プローブ用のプローブヘッド。
【請求項１４】
前記超音波を送受信する圧電振動子をさらに備えた、
請求項１３に記載の超音波プローブ用のプローブヘッド。
【発明の詳細な説明】
【技術分野】
【０００１】
本発明の実施形態は、超音波プローブ、及び、超音波プローブ用のプローブヘッドに関する。
【背景技術】
【０００２】
一般的に、超音波を送受信する超音波プローブを生体に接触させて超音波スキャンを行う際、超音波プローブの先端に配置された音響レンズと生体表面との間に空気の層が存在しないように、音響レンズの生体との接触面に音響結合剤が塗布される。音響結合剤は、エコーゼリーとも呼ばれる。
【０００３】
ところで、操作者が超音波プローブを生体面上で移動させながら超音波プローブが長時間使用されると、エコーゼリーが超音波プローブのレンズ表面及び生体表面上から少なくなっていき、音響レンズと生体表面との間に空気の層が介在してしまう場合がある。この空気の部分に超音波が送信されてしまうと、超音波は生体に届くこと無く空気の部分で全反射してしまい、生体からの反射エコーを取得できないため、超音波画像のうち当該空気の部分に対応する位置情報が得られない（超音波画像が黒抜けする）事象が発生する。
【先行技術文献】
【特許文献】
【０００４】
【特許文献１】特開昭６１−１１８０９４号公報
【発明の概要】
【発明が解決しようとする課題】
【０００５】
本発明が解決しようとする課題は、超音波を送受信する音響レンズと生体表面との間に空気が介在することによる超音波画像の黒抜けの発生を低減させることである。
【課題を解決するための手段】
【０００６】
実施形態に係る超音波プローブは、圧電振動子と、音響レンズと、備える。圧電振動子は、超音波を送受信する。音響レンズは、超音波の送受信側に設けられる。音響レンズは、当該音響レンズの表面のうち、中央部領域の両側に位置する端部領域の表面形状が、中央部領域の表面形状の曲率と異なる曲率で形成される。
【図面の簡単な説明】
【０００７】
【図１】実施形態に係る超音波プローブの構成の概念を示す縦断面図。
【図２】実施形態に係る超音波プローブの構成例を示す縦断面図。
【図３】（Ａ）は、生体表面にエコーゼリーを塗布して、実施形態に係る超音波プローブを生体表面に配置した状態を示す説明図、（Ｂ）は、実施形態に係る超音波プローブを生体表面上で移動させた状態を示す説明図。
【図４】実施形態に係る超音波プローブの他の構成例を示す縦断面図。
【図５】（Ａ）は、音響レンズの比較例を示す図、（Ｂ）は、（Ａ）に示す音響レンズが用いられた結果得られる超音波画像の一例を示す図。
【発明を実施するための形態】
【０００８】
以下、実施形態に係る超音波プローブ、及び、超音波プローブ用のプローブヘッドについて添付図面を参照して説明する。
【０００９】
図１は、実施形態に係る超音波プローブの構成の概念を示す縦断面図である。
【００１０】
図１は、実施形態に係る超音波プローブＰを示す。超音波プローブＰは、音響レンズＬ等を含む超音波プローブ用のプローブヘッドＰ１（図１の斜線領域）と、プローブ本体Ｐ２（図１の超音波プローブＰのうち斜線領域を除く領域）とを含む。なお、プローブヘッドＰ１は、斜線領域に限定されるものではなく、音響レンズＬの他に、後述する圧電振動子１１、音響整合層１３、背面材１４等の他の部材を備える場合もあるが、説明の便宜上、その図示を省略する。図１は、超音波プローブＰのレンズ方向と超音波の送受信方向とによって形成される縦断面を示す。なお、レンズ方向は、エレベーション方向とも呼ばれ、超音波の送受信方向は深さ方向とも呼ばれる。
【００１１】
プローブヘッドＰ１の音響レンズＬは、超音波の送受信側に設けられる。また、音響レンズＬは、音響レンズＬの表面（すなわち、生体接触面）のうち、中央部領域の両側に位置する端部領域の表面形状が、中央部領域の表面形状の曲率と異なる曲率で形成される。例えば、音響レンズＬがレンズ方向で中央部領域と端部領域とに分割される場合、端部領域の表面の部分である変化点Ｑ３と変化点Ｑ１との間が、ある曲率の形状を備える。そして、端部領域の変化点Ｑ３と変化点Ｑ１との間における表面形状は、変化点Ｑ１とＱ２との間における中央部領域の表面形状の曲率と異なる曲率で形成される。なお、端部領域の変化点Ｑ４と変化点Ｑ２との間における表面形状についても、端部領域の変化点Ｑ３と変化点Ｑ１との間における表面形状と同様である。
【００１２】
なお、本明細書において、中央部領域の表面形状は円弧の場合に限定されるものではない。中央部領域の表面形状は、平らな場合、曲率が無限大の場合も含む。
【００１３】
ここで、エコーゼリーを保持するための段差部を設ける観点から、端部領域の表面は、中央部領域の表面形状の曲率より小さい曲率をもつ形状を部分として含むことが好適であるが、必須ではない。つまり、端部領域の表面の変化点Ｑ３と変化点Ｑ１との間（変化点Ｑ４と変化点Ｑ２との間も同様）は、変化点Ｑ１と変化点Ｑ２との間の曲率より小さくされることが好適である。その場合、端部領域の当該部分は、変化点Ｑ１，Ｑ２を介して中央部領域の表面に連続する構成を有する。
【００１４】
また、エコーゼリーを保持するための段差部を設ける観点から、端部領域の当該部分は、縦断面において、中央部領域の表面に連続する側の他側に変曲点を有することが好適であるが、必須ではない。つまり、変化点Ｑ３，Ｑ４は、変曲点であることが好適である。変曲点とは、曲がる方向が変わる点を意味する。
【００１５】
このような音響レンズＬの構成により、操作者が超音波プローブＰをレンズ方向に移動させる場合に、超音波を送受信するプローブ表面と生体表面との間にエコーゼリーを安定的に供給することができる。それにより、後述するように、空気が介在することによる超音波画像の黒抜けの発生を低減させることができる。
【００１６】
なお、図１では、超音波プローブＰがレンズ方向で中央部領域と端部領域とに分割される場合について説明したが、その場合に限定されるものではない。例えば、超音波プローブＰがアレイ方向で中央部領域と端部領域とに分割されてもよい。その場合、操作者が超音波プローブＰをアレイ方向に移動させる場合に、超音波を送受信するプローブ表面と生体表面との間にエコーゼリーを安定的に供給することができる。アレイ方向は、アジマス方向とも呼ばれる。
【００１７】
また、例えば、超音波プローブＰがレンズ方向、かつ、アレイ方向で中央部領域と端部領域とに分割されてもよい。その場合、操作者が超音波プローブＰをレンズ方向に移動させる場合やアレイ方向に移動させる場合に、超音波を送受信するプローブ表面と生体表面との間にエコーゼリーを安定的に供給することができる。以下、特に言及しない限り、超音波プローブＰがレンズ方向で中央部領域と端部領域とに分割される場合について説明する。
【００１８】
また、以下、超音波プローブＰの一例として、音響有効部のみを中央部領域とする超音波プローブ１０について説明する。しかし、超音波プローブＰは、そのような超音波プローブ１０の場合に限定されるものではない。例えば、音響有効部の全体と音響無効部の内側の一部とを中央部領域とすると共に音響無効部の外側の一部のみを端部領域としてもよい。または、音響有効部の中央の一部のみを中央部領域としてもよい。なお、音響有効部とは、音響レンズＬ領域のうち中央の一部であって、圧電振動子によって送受信される超音波の経路に当たる領域を意味する。一方で、音響無効部とは、音響レンズＬ領域のうち外側の一部を含み、圧電振動子によって送受信される超音波の経路に当たらない領域を意味する。
【００１９】
続いて、超音波プローブＰが、超音波プローブ１０である場合について図２〜図５を用いて説明する。
【００２０】
図２は、実施形態に係る超音波プローブの構成例を示す縦断面図である。
【００２１】
図２は、実施形態に係る超音波プローブ１０を示す。超音波プローブ１０は、圧電振動子１１と、音響レンズＬの一例としての音響レンズ（凸部）１２と、音響整合層１３と、背面材１４と、を少なくとも備えている。圧電振動子１１と、音響レンズ１２と、音響整合層１３と、背面材１４とは、図１に示すプローブヘッドＰ１に含まれる場合もあるが、図１に示すプローブ本体Ｐ２に含まれる場合もある。なお、超音波プローブ１０はその他の部材を備えることもあるが、説明の便宜上、その図示を省略する。図２は、超音波プローブ１０のエレベーション方向、つまり、レンズ方向と超音波の送受信方向とによって形成される縦断面を示している。
【００２２】
なお、超音波プローブ１０は、スキャン方式の違いにより、リニア型、コンベックス型、及びセクタ型等の種類に分けられる。また、超音波プローブ１０は、レンズ方向と直交するアジマス方向、つまり、アレイ方向に１次元（１Ｄ）的に複数個の圧電振動子が配列された１Ｄアレイプローブと、アレイ方向かつレンズ方向に２次元（２Ｄ）的に複数個の圧電振動子が配列された２Ｄアレイプローブ等、アレイ配列次元の違いにより分けられる種々のプローブを含み得る。さらに、別の構成例として、超音波プローブ１０は、１素子又は１Ｄアレイプローブをエレベーション方向に機械的に揺動する機構を備え、３次元像を得るためのプローブ（「メカ４Ｄプローブ」とも呼ばれる）の場合もある。１Ｄアレイプローブには、レンズ方向に少数の振動子が配列された超音波プローブも含まれる。ここでは、超音波プローブ１０として１Ｄアレイプローブを例とって説明するがその場合に限定されるものではない。
【００２３】
圧電振動子１１は、発生させた超音波の外部への送信、及び、外部からの超音波を受信する振動子である。圧電振動子１１は、圧電体１５と、表面電極１６ａと、背面電極１６ｂと、から構成されている。
【００２４】
圧電体１５の一方の面には表面電極１６ａが配置されて、他方の面には背面電極１６ｂが配置されており、圧電体１５を挟むように２つの電極が配置されている。
【００２５】
圧電振動子１１は、表面電極１６ａ及び背面電極１６ｂの２つの電極が対向する部分で超音波の送受信を行う。具体的には、表面電極１６ａにおいて、背面電極１６ｂと対向する面（以下、送受信面とする）から、圧電体１５で発生した超音波が放射される。超音波の受信時には、送受信面でプローブ外部からの超音波を受ける。
【００２６】
音響レンズ１２は、圧電振動子１１で送受信される超音波を集束するレンズである。音響レンズ１２は、超音波スキャン時には生体との接触面となる。
【００２７】
超音波プローブ１０の表面は、圧電振動子１１における超音波の送受信領域に応じて、超音波を送受信する領域となる音響有効部と、音響有効部の両側に位置して、超音波を送受信しない領域となる音響無効部とに分けられる。つまり、音響有効部及び音響無効部は、圧電振動子１１における超音波の送受信領域によって決まる。
【００２８】
なお、音響レンズ１２の音響有効部の幅は、図２に示すように表面電極１６ａの送受信面の幅と同一としてもよいし、表面電極１６ａの送受信面の幅よりも広いものとしてもよい。音響無効部は、音響有効部の端から外側の領域となる。
【００２９】
音響レンズ１２の音響有効部は、曲率を有する凸面を持つ。そして、音響無効部は、音響レンズ１２のレンズ先端面、すなわち、凸面の延長線よりも低く形成されて、音響有効部との間に段差を生じさせている。図２では、レンズ先端面の延長線と音響無効部における肩部１９の表面との高低差の最大を段差ｄｍａｘとして定義している。
【００３０】
音響無効部は、レンズ先端面（凸面）の延長線よりも低く形成された部分に任意の曲率を有する凹部１８を有している。つまり、超音波プローブ１０の表面の曲率は、音響無効部において凸から凹に変化する。そして、音響無効部には、凹部１８からレンズ端まで平坦な肩部１９が形成されている。
【００３１】
このように、音響無効部表面と音響有効部表面との間に段差を設けることで、音響無効部表面において、レンズ先端面の延長線とレンズ表面との間に一定の空間が生まれる。この空間が、エコーゼリーを生体表面に塗布して超音波プローブ１０を生体面上で移動させながら超音波スキャンが行われる際に、エコーゼリーの保持領域となる。音響無効部内に凹部１８を形成することで、エコーゼリーの保持領域をより大きくすることができる。
【００３２】
なお、音響無効部においてレンズ先端面の延長線より低く形成される段差を、図２に示す実施形態のようにレンズ方向に形成してもよいし、アレイ方向に形成してもよい。また、両方の方向に音響無効部の段差を形成してもよい。
【００３３】
音響有効部及び音響無効部の材質としては、シリコーンゴム、ポリメチルペンテン、ブタジエンゴムが例示される。
【００３４】
音響整合層１３は、圧電振動子１１と音響レンズ１２との間に設けられており、圧電振動子１１と生体の中間的な音響インピーダンスを有する物質で構成される。音響整合層１３を設けることで、圧電振動子１１と生体との音響インピーダンス差が小さくなるため、超音波を生体に効率良く伝えることができる。
【００３５】
背面材１４は、バッキング材とも呼ばれる。背面材１４は、圧電振動子１１の背面に設けられた、振動を抑制するための部材である。背面材１４を設けることで、超音波が放射される方向と逆方向への音を吸収して余分な振動を抑えることで、超音波のパルス幅を短くすることができる。
【００３６】
ここで、図５を用いて、超音波画像の黒抜けについて説明する。
【００３７】
図５（Ａ）は、音響レンズの比較例を示す斜視図である。なお、図５（Ａ）では、圧電振動子などの他のプローブの構成は省略して図示している。
【００３８】
図５（Ａ）は、比較例に係る音響レンズ５０を示す。音響レンズ５０では、曲率を有する凸部がレンズ方向に形成されており、凸面の終端からレンズ端まで平坦に形成されている。なお、レンズの凸面上の位置Ａ、Ｂは、超音波の送信位置を示している。
【００３９】
操作者が生体にエコーゼリーを塗布して、この音響レンズ５０を接触面にして超音波プローブを移動させながら超音波スキャンを行う場合、生体表面上のエコーゼリーは、超音波を送受信するレンズの凸面に直接的に供給されることになる。このような音響レンズ５０の構成では、超音波スキャンが長時間行われ、生体表面上のエコーゼリーが減少した場合、レンズの凸面に空気の層が入ってしまうおそれがある。また、エコーゼリーには気泡が混入している場合があり、気泡を含んだエコーゼリーがレンズの凸面に供給される場合もある。
【００４０】
超音波プローブと生体表面との間に空気の層があると、レンズの凸面から送信された超音波は空気の部分で強い反射が生じてしまい、生体表面に超音波が到達せず、反射エコーを受信することができない。
【００４１】
図５（Ｂ）は、図５（Ａ）に示す音響レンズ５０が用いられた結果得られる超音波画像の一例を示す図である。横軸は、超音波の送信位置を示しており、縦軸は生体表面からの深さを示している。
【００４２】
図５（Ｂ）に示すように、音響レンズ５０の凸面から送信された超音波が空気の層で反射した場合、反射エコーを受信することができないため、超音波画像は黒抜けする。図５（Ｂ）に示す超音波画像では、送信位置Ａ、Ｂから送信された超音波が空気の層で反射してしまい黒抜けした状態となっていることを示している。超音波スキャンが長時間となる程、超音波画像の黒抜けの発生頻度は高くなる。
【００４３】
続いて、実施形態に係る超音波プローブ１０の作用を具体的に説明する。
【００４４】
図３（Ａ）は、生体表面にエコーゼリーを塗布して、超音波プローブ１０を生体表面に配置した状態を示す図である。
【００４５】
音響無効部に設けられた段差部（レンズ先端面の延長線と音響無効部のレンズ表面との間の一定の空間）が、エコーゼリーを保持する領域となっている。さらに、音響無効部に凹部が設けられることで、音響無効部において多くのエコーゼリーが保持される。
【００４６】
図３（Ｂ）は、超音波プローブ１０を生体表面上で移動させた状態を示す図である。
【００４７】
音響無効部に設けられた段差部に保持されたエコーゼリーが、超音波プローブ１０の移動に応じて、音響有効部のレンズ先端面に供給されていく。
【００４８】
また、音響無効部に凹部を設けることで、エコーゼリーがより多く保持されるため、エコーゼリー中に気泡が含有される場合であっても、音響無効部の段差部にエコーゼリー中の気泡が留置されて、音響有効部のレンズ先端面に気泡が移動することが抑制される。
【００４９】
このように、エコーゼリーを保持するための段差部を音響無効部に設けて、この段差部を介して音響有効部のレンズ先端面にエコーゼリーを供給することで、超音波スキャンが長時間行われてエコーゼリーが少なくなる場合であっても、エコーゼリーを超音波プローブ１０のレンズ先端面と生体表面との間に安定的に供給できる。これにより、空気の層がレンズ表面に介在することが抑制されるため、超音波画像の黒抜けが低減でき、診断精度を向上させることができる。
【００５０】
また、図５（Ａ）に示す比較例の音響レンズ５０を用いる超音波プローブでは、操作者は、超音波画像が黒抜けを防止するために、エコーゼリーが少なくなるたびに生体表面にエコーゼリーを随時補給する必要があった。しかしながら、超音波プローブ１０によれば、エコーゼリーを保持する段差部を音響無効部に設けることで、より継続した超音波スキャンが可能となり、操作者の作業負担を軽減できる。
【００５１】
なお、超音波プローブ１０における、音響無効部の段差の最大値ｄｍａｘ（図２参照）や段差ｄ（図３参照）は、０．２ｍｍ以上であることが望ましい。図２に示す音響無効部の段差の大きさは、レンズ方向に従って変動する。音響無効部の段差の最大値ｄｍａｘの最適値は、レンズ方向における超音波プローブ１０の全体の幅等に応じて変動し得る。以下、音響無効部の段差の最大値ｄｍａｘについて説明するが、音響無効部の段差ｄについても同様である。
【００５２】
音響無効部においてエコーゼリーを保持する領域が大きくする観点から、段差の最大値ｄｍａｘをより大きく形成する方が望ましい。しかし、段差の最大値ｄｍａｘをより大きくすると、その分音響有効部を厚くする必要があり、送信される超音波の特性に影響を与える場合がある。
【００５３】
また、送受信される超音波の周波数によっても、最適となる音響有効部の厚さが存在する。例えば、数百ｋＨｚのような小さい周波数の場合には、音響有効部での減衰の影響が小さいため、段差の最大値ｄｍａｘを大きく設定（例えば、段差の最大値ｄｍａｘが０．７ｍｍ以上）できる一方、数ＭＨｚのような大きい周波数の場合には、音響有効部での超音波の減衰を考慮して段差の最大値ｄｍａｘを小さく設定（例えば、段差の最大値ｄｍａｘが０．２〜０．７ｍｍ）する必要がある。したがって、音響無効部における段差の最大値ｄｍａｘは、超音波の特性等を考慮して最適となる大きさに設定される。
【００５４】
また、音響有効部及び音響無効部の材質としては、疎水性の材質、例えば水に対する接触角が６０°以上の材質を用いてもよい。疎水性の材質を用いた場合、音響有効部及び音響無効部の表面でエコーゼリーをはじく現象が生じてしまい、エコーゼリーがなくなるまでの時間も早まるおそれがある。本実施形態のように音響無効部の表面に段差の最大値ｄｍａｘを設けることで、音響有効部であるレンズ先端面にエコーゼリーを安定的に供給できるため、音響有効部及び音響無効部として疎水性の材質を用いることができる。
【００５５】
図４は、実施形態に係る超音波プローブ１０の他の構成例を示す縦断面図である。なお、図４において、図２に示す構成と同一構成については同一符号を付して説明を省略する。
【００５６】
図２に示す音響レンズ１２では、音響有効部のレンズ先端面は曲率を有する凸面で形成されていた。この構成例では、音響レンズ１２の音響有効部のレンズ先端面が、圧電振動子１１の送受信面と略平行となる平坦部を有して形成されている。
【００５７】
そして、音響無効部の外側表面は、音響有効部の平坦部と平行に形成される肩部１９を有して形成されている。
【００５８】
超音波プローブ１０の大きさや検査部位に応じてレンズ先端面が曲率を有するものや平坦のもの等、レンズの形状は変更される。レンズ先端面が平坦の場合であっても、エコーゼリーを保持する段差部を音響無効部に設けることで、音響有効部のレンズ先端面にエコーゼリーを安定的に供給することができるため、空気の層がレンズ表面に介在することが抑制されて、超音波画像の黒抜けが低減できる。
【００５９】
以上説明した少なくとも１つの実施形態によれば、超音波を送受信する音響レンズと生体表面との間にエコーゼリーを安定的に供給でき、空気が介在することによる超音波画像の黒抜けの発生を低減させることができる。
【００６０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６１】
Ｐ，１０  超音波プローブ
Ｐ１  プローブヘッド
Ｐ２  プローブ本体
Ｐ２  
１１  圧電振動子
Ｌ，１２  音響レンズ
１３  音響整合層
１４  背面材
１５  圧電体
１６ａ  表面電極
１６ｂ  背面電極
１８  凹部
１９  肩部
【図１】
2019141580.tif 000003
【図２】
2019141580.tif 000004
【図３】
2019141580.tif 000005
【図４】
2019141580.tif 000006
【図５】
2019141580.tif 000007